(57)【要約】【課題】  通常は筐体の気密性を担保しつつ、必要に応じて扉を開けなくても筐体内部に外気を取り入れることが可能な通気装置。【解決手段】筐体の壁面を貫通するニップルに接続される通気装置が、座金板と前記座金板の一方の側面側に配置された弾性部と前記座金板の弾性部とは異なる側面側に配置された弾性体とからなる可動部と、前記可動部の外周に位置し筒状に形成された外形部と、前記外形部の一端に螺合して固定されるエンドキャップとからなり、前記外形部は通気フィルター部と前記通気フィルター部の一方の端部に位置し内側にネジ溝を有するエンドキャップ螺合部と前記通気フィルター部の他方の端部に位置し内側にネジ溝を有するニップル螺合部とからなり、通気装置がニップルに装着された状態において、前記可動部の前記弾性部と前記ニップルの端部とが前記可動部の前記弾性体の反撥力によって一定の接触圧力を有する状態で接合されるようにした。【選択図】図３
2009266902.tif 000002
【特許請求の範囲】
【請求項１】
筐体の壁面を貫通するニップルに接続される通気装置であって、
座金板と前記座金板の一方の側面側に配置された弾性部と前記座金板の弾性部とは異なる側面側に配置された弾性体とからなる可動部と、
前記可動部の外周に位置し筒状に形成された外形部と、
前記外形部の一端に螺合して固定されるエンドキャップとからなり、
前記外形部は通気フィルター部と前記通気フィルター部の一方の端部に位置し内側にネジ溝を有するエンドキャップ螺合部と前記通気フィルター部の他方の端部に位置し内側にネジ溝を有するニップル螺合部とからなり、
通気装置がニップルに装着された状態において、
前記可動部の前記弾性部と前記ニップルの端部とが前記可動部の前記弾性体の反撥力によって一定の接触圧力を有する状態で接合されること、
を特徴とする通気装置。
【発明の詳細な説明】
【技術分野】
【０００１】
本発明は、密閉機器における防湿対策に用いるための通気装置に関する。
【背景技術】
【０００２】
電気設備では、配電用ミニクラッド（縮小型開閉装置）など、電気機器を収納する様々な筺体がある（例えば、特許文献１、特許文献２参照）。このような筺体では、電気機器の絶縁低下や漏電事故等の防止、遮断器機構部の発錆防止のために、防水性を高めた密閉構造で構成される場合がある。
【特許文献１】特開平６−３８３１６号公報
【特許文献２】特開２００４−８８８６０号公報
【発明の開示】
【発明が解決しようとする課題】
【０００３】
このような筺体においては、例えば、外気温が暖かく、一定の湿度を有する時期に筐体の扉を開け、その後、扉を閉めて密閉すると、そのときの外気をそのまま封じ込めることになる。その後、外部の温度サイクルによって筺体内部の気温が下がり、筐体内部の空気の水蒸気量が飽和すると、筐体内部に結露を発生させる。この結露は筺体内の内部に設置されている電気機器に使用されている絶縁材料の寿命を縮めたり、端子間の絶縁不良をおこし短絡が発生し事故を誘発したり、機構部表面結露が起因となり発錆しカム軸等の動作が緩慢になり事故遮断が出来なくなる場合がある。
【０００４】
これを避けるためには、外気温が低くなった際に、筐体の扉を再び開け、外気を筐体内部に取り込みさせるという手段があるが、電気設備が通電されている場合は安全性の面から電気設備の筐体の扉を開くことはできないという制約があり、必要に応じた対応が難しかった。
【０００５】
そこで、本発明の目的は、簡便な装置を用いて、通常は筐体の気密性を担保しつつ、必要に応じて扉を開けなくても筐体内部に外気を取り入れることができるようにすることで、筐体内部の湿度を下げ、もって、筐体内部の結露の発生を防ぎ若しくは発生した結露を除去して、電気設備の信頼性を向上させることができる通気装置を提供することにある。
【課題を解決するための手段】
【０００６】
このような課題を解決するため、本発明では、筐体の壁面を貫通するニップルに接続される通気装置が、座金板と前記座金板の一方の側面側に配置された弾性部と前記座金板の弾性部とは異なる側面側に配置された弾性体とからなる可動部と、前記可動部の外周に位置し筒状に形成された外形部と、前記外形部の一端に螺合して固定されるエンドキャップとからなり、前記外形部は通気フィルター部と前記通気フィルター部の一方の端部に位置し内側にネジ溝を有するエンドキャップ螺合部と前記通気フィルター部の他方の端部に位置し内側にネジ溝を有するニップル螺合部とからなり、通気装置がニップルに装着された状態において、前記可動部の前記弾性部と前記ニップルの端部とが前記可動部の前記弾性体の反撥力によって一定の接触圧力を有する状態で接合されるようにした。
【０００７】
これにより、本発明の通気装置がニップルに装着されると、可動部の弾性体の反撥力によって一定の接触圧力を与えられた状態で、ニップルの端部と可動部の弾性部とが接合される。よって、ニップルの端部と通気装置との接合部の気密が保たれる。そして、例えばニップルの孔に棒状のものを差し入れて通気装置の可動部をエンドキャップ側に押し入れると、ニップルの端部と弾性部とが離れるので、気密状態を開放し、通気フィルターを通じて筐体の内部の空気と筐体の外部の空気とが接触することができるので通気が可能となる。
【発明の効果】
【０００８】
この発明によれば、筐体の壁面部に設置したニップルに対して、筐体の内部側に本発明による通気装置を装着すると、通常時は筐体の気密性が保持されるとともに、必要に応じて筐体の扉を開くことなく、外気を筐体内部に取り入れることができるようになるという効果が得られる。
【発明を実施するための最良の形態】
【０００９】
図１は、筐体の壁面を貫通するニップルに装着された通気装置の外観図である。また図２は、図１の断面図を示す。図３は、通気装置の構成図である。
【００１０】
本発明にかかる通気装置１は、図１、図２および図３に示すように、筐体の壁面３を貫通したニップル２に装着して使用する。ここでニップル２と筐体壁面３との固定は様々な方法で実現される。本願の説明では一態様として、ニップル２をナット部と筒部が一体となった形状のものとし、筐体の壁面３への固定方法を平パッキンゴム２１１、平ワッシャー２２１、スプリングワッシャー２２２、ナット２２３によって固定した例を提示した。このようにナットなどによって取り外し可能な状態でニップルを筐体の壁面に固定しても良いし、溶接などで半永久的に固定しても良い。また本願の説明では、ナットとニップルが一体形成されたタイプのニップルを例としたが、ナット形状を有さない単なる円筒状のニップルを用いても構わない。このようなニップルを用いる場合は、単にナットやワッシャーなどを追加して固定すればよい。
【００１１】
通気装置１は、可動部１１と、可動部１１の外周に位置し筒状に形成された外形部１２と、外形部１２の一端に螺合して固定されるエンドキャップ１３とから構成されている。
【００１２】
可動部１１は、座金板１１１と弾性部１１２と弾性体１１３から構成されている。
【００１３】
また、可動部１１は、外形部１２に内部に位置し、ニップル２に対して、弾性部１１２、座金板１１１、弾性体１１３の順に配置される。
【００１４】
座金板１１１は金属板、プラスチックなどの高分子材料からなる板など、変形し難い一定の硬度をもった板によって構成される。座金板１１１は、通気装置１をニップルに取付する際に、弾性部１１２の形状を支えると共に弾性体１１３の力を弾性部１１２に伝達させる。更に、螺合する際に、弾性体１１３と弾性部１１２の動きを縁切りさせて、ニップル２に対しては弾性部１１２の動きを固定させ、一方で、弾性体１１３や通気装置１に対しては、弾性部１１２を螺合の回転にあわせて回転させる役割を果たす。このように弾性部１１２が弾性体１１３に対して回転させる構成とすることで、螺合する際の弾性部１１２の剪断を防止する。
【００１５】
弾性部１１２はゴムシートやポリ塩化ビニルなど、柔らかく一定の気密を保つ材料で構成される。これにより、弾性部１１２とニップル２の端部とが一定の押し付け力をもって接合された場合に、弾性部１１２がニップル２に孔部２３を閉じるので気密が保てるようになる。
【００１６】
弾性体１１３は、金属のスプリングなどによって構成される。これにより、圧縮力を与えられた場合において、反発力により座金板１１１にニップル２側に力を与え、弾性部１１２をニップル２とを一定の押し付け力をもって接合させるようになる。
【００１７】
外形部１２は、ニップル螺合部１２１と、通気フィルター部１２２と、エンドキャップ螺合部１２３から構成されている。なお、通気フィルター部１２２に形状を保持する強度が不足している場合は、ニップル螺合部１２１とエンドキャップ螺合部１２３とをつないで形状を支える支え側面１２４を有する場合もある。
【００１８】
また、外形部１２は、可動部１１の外周に位置し、筒状に形成されている。また、外形部１２は、ニップル２に対して、ニップル螺合部１２１、通気フィルター部１２２、エンドキャップ螺合部１２３の順に配置される。
【００１９】
ニップル螺合部１２１は、ニップル２と通気装置１とを螺合して固定するための部位で、内側にネジ溝を有する。
【００２０】
通気フィルター部１２１は、筐体の外部の空気などに含まれるゴミや虫などの筐体の内部への進入を阻止しつつ、空気を接触させる部位で、複数の孔を有する金属板や、メッシュ状のシート（網）などによって構成され、通気が可能な構造となっている。
【００２１】
エンドキャップ螺合部１２３は、エンドキャップを螺合して固定するための部位で、内側にネジ溝を有する。
【００２２】
ここでニップル螺合部１２１の内側にネジ溝を有する部位の内径Ａは、可動部１１の座金板１１１や弾性部１１２の径や、通気フィルター部１２２の内径Ｂ２、エンドキャップ螺合部１２３の内径Ｂ３よりも小さく構成する。この構成により、エンドキャップ螺合部側から挿入された可動部１１がニップル螺合部１２１側から外部に飛び出すことなく内部に配置される。
【００２３】
また、ニップル螺合部１２１の内側にネジ溝を有する部位の長さは、ニップル２の筐体の壁面３よりも筐体の内部に出ている部位の長さよりも短くする。これにより、通気装置１とニップル２とが螺合されたときに、ニップル２の端部が、内径が小さく構成された部位よりも突き出すように配置されるようになる。これにより、ニップル螺合部１２１の内側にネジ溝を有する部位の内径より大きい径をもつ可動部１１と接触が可能となる。
【００２４】
エンドキャップ１３は、足部１３１を有する皿状に形成されており、足部１３１の外側にネジ溝を有する。足部１３１の外側のネジ溝と、エンドキャップ螺合部１２３とが螺合して、外形部１２とエンドキャップ１３は固定される。
【００２５】
外形部１２の内部に、弾性部１１２、座金板１１１、弾性体１１３の順に可動部１１を挿入し、エンドキャップ１３を螺合することで、可動部１１は外形部１２の内部に収容された状態で、通気装置１は組み立てされる。通気装置１が組み立てされることで、エンドキャップ１３によって弾性体１１３に圧縮力が与えられ、弾性体１１３はバネ力（反発力）を有する状態となる。
【００２６】
このように組み立てされた通気装置１を、ニップル２に装着すると、可動部１１の弾性部１１２とニップル２の端部とが接触する。そして、可動部１１の弾性体１１３の反撥力によって一定の接触圧力を有する状態で接合されることとなる。そのため、弾性部１１２はニップル２の孔部２３を塞ぎ、筐体の外部の空気と内部の空気とは遮断されて、気密が保たれる状態となる。
【００２７】
次に、筐体の外部の空気と内部の通気とを接触させる（以下、「通気させる」という）場合について図４を用いて説明する。
【００２８】
通気させる場合は、ニップル２の孔部２３に押し込み棒４を差し入れ、可動部１１をエンドキャップ１３側に押し込む。
【００２９】
このとき、可動部１１の弾性体１１３は更に圧縮される。通気フィルター１１２がガイドのような役割を果たしつつ、座金板１１１と弾性部１１２はエンドキャップ１３側に移動する。
【００３０】
これにより、ニップル２の端部と弾性部１１２とは接合されない状態となり、気密は解除されて、ニップル２の孔は開放された状態となる。
【００３１】
外形部１２の通気フィルター部１２２は孔を有するので、筐体の内部の空気は通気フィルター部１２２を介してニップル２の孔部２３へ流出して筐体の外部へ放出される。また、筐体の外部の空気は、ニップル２の孔部２３を介して通気フィルター部１２２に流入して筐体の内部へ取り込まれる。これにより、筐体内部の空気と外部の空気とが通気する。  
また、可動部１１の座金板と弾性部１１２とは、押し込み棒４の押し込み力と、弾性体１１３の反撥力とに支えられ、かつ、通気フィルター部１２２により移動がガイドされるので、通気をしたい場合は、スムーズにエンドキャップ１３側に移動し、再び気密を保ちたい場合は、押し込み棒４を抜けば、再びニップル２側に移動して自然と気密が保てる位置に戻ることができる。
【００３２】
なお、本願の説明では、弾性体１１３の例としてスプリングを図示しているが、スプリングに限られるものではなく、可動部１１の弾性部１１２がニップル２の端部に押し付けられるように反撥力を与えるものであればよい。例えば弾性力をもつ１つ若しくは複数の球によって構成することも可能である。このように、反撥力の与え方はいかなる構成も可能であり、この例に限られるものではない。
【００３３】
以上の構成により、本発明にかかる通気装置を、筐体の壁面部を貫通するニップルの筐体の内部側に設置すれば、通常は筐体の密閉性を保ちつつ、必要に応じてニップルの内径部に棒状のものを差し入れて可動部を押し込むなどして、ニップルの端部と可動部との接合を解除させることによって、筐体の外部の空気と内部の空気とを通気させることができるようになる。これにより、電気設備が通電されている場合であっても、筐体の扉を開けることなく、いつでも筐体内部に外気をいれることができるので、必要に応じて筐体内部の結露の発生を防ぎ若しくは発生した結露を除去することが可能となり、電気設備の信頼性を向上させることができるようになる。
【００３４】
なお、筐体の壁面とは、筐体の内部と外部との境界に位置する構造物のことで、例えば筐体を形作る上面、底面、側面、扉、窓などの躯体の壁面のすべてをさす。
【図面の簡単な説明】
【００３５】
【図１】筐体の壁面を貫通するニップルに装着された通気装置の外観図
【図２】気密を保っている状態の通気装置の断面図
【図３】通気装置の組み立て前の構成図
【図４】外気を筐体内部に取り込む状態の通気装置の断面図
【符号の説明】
【００３６】
１…通気装置
１１…可動部
１１１…座金板
１１２…弾性部
１１３…弾性体
１２…外形部
１２１…ニップル螺合部
１２２…通気フィルター部
１２３…エンドキャップ螺合部
１２４…支え側面
１３…エンドキャップ
２…ニップル
２１１…ゴムパッキン
２２１…平ワッシャー
２２２…スプリングワッシャー
２２３…ナット
３…筐体の壁面
【図１】
2009266902.tif 000003
【図２】
2009266902.tif 000004
【図３】
2009266902.tif 000005
【図４】
2009266902.tif 000006